(57)【特許請求の範囲】
【請求項１】
周壁(1)を形成する端面板(11)及び側面板(12)の上端に、それぞれ内フラップ(14)及び外フラップ(15)が連設され、端面板(11)に手掛部(18)が設けられ、手掛部(18)から端面板(11)と内フラップ(14)の境界に沿って内フラップ(14)の両側端へ至る破断線(21)と、側面板(12)と外フラップ(15)の境界に沿う破断線(22)が入れられ、
内フラップ(14)の上面に外フラップ(15)が重ね合わされ、外フラップ(15)の先端同士が突き合わされて、天壁(2)が形成された包装状態とされ、
手掛部(18)に手を掛け、天壁(2)を上方へ引っ張って破断線(21,22)を破断させると、天面が開口する天面開封段ボール箱において、
前記内フラップ(14)には、外フラップ(15)の先端の突合部に対応する位置に、段ボールの山折り方向への折曲強度を低下させた弱め部(20)が設けられていることを特徴とする天面開封段ボール箱。
【請求項２】
前記内フラップ(14)及び外フラップ(15)には、それぞれ端面板(11)及び側面板(12)との境界として折り曲げられる稜線に近接して並行するように、表面側が凹んだ逆罫線(23)が入れられていることを特徴とする請求項１に記載の天面開封段ボール箱。
【請求項３】
前記破断線(21,22)は、端面板(11)と内フラップ(14)の稜線及び側面板(12)と外フラップ(15)の稜線上に延び、段ボールが押圧された押罫線ではなく、段ボールの裏面と表面とに貫通する切目が多数断続したミシン目から成ることを特徴とする請求項２に記載の天面開封段ボール箱。
【請求項４】
前記逆罫線(23)を挟んで平行に延びるように裏面側が凹んで段ボールの厚さが減少した溝状凹部(D)が形成され、前記破断線(21,22)は、この溝状凹部(D)の範囲内に位置していることを特徴とする請求項３に記載の天面開封段ボール箱。
【発明の詳細な説明】
【技術分野】
【０００１】
この発明は、開封に際し、破断線の破断に伴い天面を開口させる天面開封段ボール箱に関するものである。
【背景技術】
【０００２】
下記特許文献１には、図１１に示すように、周壁５１の各面を形成する端面板６１及び側面板６２の上端にそれぞれ内フラップ６３及び外フラップ６４が連設され、内フラップ６３の上面に外フラップ６４を重ね合わせ、外フラップ６４の先端同士を突き合わせて、天壁５２が形成された包装状態とする段ボール箱において、天面を開口させて開封する段ボール箱が記載されている。
【０００３】
この段ボール箱では、端面板６１の上部に切目線で区画された手掛部６５が設けられ、手掛部６５から内フラップ６３と端面板６１の境界に沿って内フラップ６３の両側端へ至る破断線７１と、外フラップ６４と側面板６２の境界全長に沿う破断線７２とが入れられている。破断線７１，７２は、段ボールを裏面側から押圧した押罫線に断続する鉤状の切目を刻設したものとされている。
【０００４】
また、天壁５２の四隅部分において、内フラップ６３及び外フラップ６４には、破断線７１，７２に対して斜めに延びる山折補助罫線７３が重なり合うように入れられている。山折補助罫線７３は、段ボールの裏面側から押圧した押罫線とミシン目状の切目とが断続するリード罫とされている。
【０００５】
この段ボール箱を開封する際には、手掛部６５を押し込み、手掛部６５に手を掛けて天壁５２を上方へ引っ張ることにより、破断線７１，７２を破断させ、天壁５２を手掛部６５と共に除去する。この際、天壁５２は、内フラップ６３及び外フラップ６４の山折補助罫線７３に沿って手掛部６５側が持ち上げられるように撓み、これに伴い、破断線７１，７２が連続的に破断する。
【先行技術文献】
【特許文献】
【０００６】
【特許文献１】登録実用新案第３２００７１６号公報
【発明の概要】
【発明が解決しようとする課題】
【０００７】
しかしながら、上記のような段ボール箱では、材料の段ボールが厚い場合や、組立時の歪みにより内フラップ６３と外フラップ６４の山折補助罫線７３の位置がずれている場合においては、開封に際し、天壁５２の引き上げに伴う抵抗が大きく、破断線７１，７２の破断が困難になるという問題がある。
【０００８】
また、箱内に商品を挿入する際、内フラップ６３や外フラップ６４の先端に商品が干渉しないように、内フラップ６３と外フラップ６４を一旦外側へ折り曲げることがあるが、その際、加工負荷により引張強度が低下した破断線７１，７２の位置で段ボールが割れてしまうことがある。
【０００９】
そこで、この発明は、様々な厚さの段ボールを材料とする段ボール箱において、加工や組み立てに高い精度を要することなく、天面を開口させて容易に開封できるようにし、また、包装時の折り曲げにより段ボールの割れが生じないようにすることを課題とする。
【課題を解決するための手段】
【００１０】
上記課題を解決するため、この発明は、周壁を形成する端面板及び側面板の上端に、それぞれ内フラップ及び外フラップが連設され、端面板に手掛部が設けられ、手掛部から端面板と内フラップの境界に沿って内フラップの両側端へ至る破断線と、側面板と外フラップの境界に沿う破断線が入れられ、内フラップの上面に外フラップが重ね合わされ、外フラップの先端同士が突き合わされて、天壁が形成された包装状態とされ、手掛部に手を掛け、天壁を上方へ引っ張って破断線を破断させると、天面が開口する天面開封段ボール箱において、前記内フラップには、外フラップの先端の突合部に対応する位置に、段ボールの山折り方向への折曲強度を低下させた弱め部が設けられているものとしたのである。
【００１１】
また、前記内フラップ及び外フラップには、それぞれ端面板及び側面板との境界として折り曲げられる稜線に近接して並行するように、表面側が凹んだ逆罫線が入れられているものとしたのである。
【００１２】
さらに、前記破断線は、端面板と内フラップの稜線及び側面板と外フラップの稜線上に延び、段ボールが押圧された押罫線ではなく、段ボールの裏面と表面とに貫通する切目が多数断続したミシン目から成るものとしたのである。
【００１３】
そして、前記逆罫線を挟んで平行に延びるように裏面側が凹んで段ボールの厚さが減少した溝状凹部が形成され、前記破断線は、この溝状凹部の範囲内に位置しているものとしたのである。
【発明の効果】
【００１４】
この発明に係る天面開封段ボール箱では、包装状態で外フラップの先端の突合部に対応するように、内フラップに弱め部が設けられているので、開封に際し、手掛部から天壁を上方へ引っ張ると、内フラップが弱め部に沿って外フラップに阻害されることなく山折りとなるように撓み、引張力が作用する方向とは交差する方向の破断線に効率的に引きちぎる力が作用して、破断線が連続的に破断する。
【００１５】
このため、材料の段ボールが厚くても、容易に開封することができ、弱め部にある程度の幅を設けておけば、外フラップの先端の突合部に弱め部が対応するので、加工や組み立てに高い精度を要することもない。
【００１６】
また、内フラップ及び外フラップに、それぞれ端面板及び側面板との境界として折り曲げられる稜線に近接して並行するように逆罫線が入れられているので、箱内に商品を収納する際、内フラップと外フラップを逆罫線に沿って外側へ折り曲げても、破断線の位置で段ボールが割れることがない。
【００１７】
さらに、破断線が押罫線ではなく、段ボールの裏面と表面とに貫通する切目が多数断続したミシン目とされているので、包装状態とするため、内フラップと外フラップを内側へ折り曲げる際に、破断線の位置で段ボールが割れる現象も防止される。
【００１８】
また、破断線が逆罫線を挟んで平行に延びる裏面側の溝状凹部の範囲内に位置しているので、内フラップ及び外フラップの折曲抵抗が弱められ、包装状態とする際、内フラップ及び外フラップが内側へ折り曲げやすくなる。
【図面の簡単な説明】
【００１９】
【図１】この発明の実施形態に係る天面開封段ボール箱のブランクを示す裏面図
【図２】同上の図１におけるII−II線に沿った断面図
【図３】同上の組立時における上方の内フラップ及び外フラップの折曲前の状態を示す斜視図
【図４】同上の商品挿入時における上方の内フラップ及び外フラップの外側への折曲状態を示す斜視図
【図５】同上の図４におけるＶ−Ｖ線に沿った断面図
【図６】同上の包装状態を示す斜視図
【図７】同上の図６におけるVII−VII線に沿った断面図
【図８】同上の開封過程を示す斜視図
【図９】同上の開封過程を示す斜視図
【図１０】同上の天面開口状態を示す斜視図
【図１１】特許文献１記載の天面開封段ボール箱の開封過程を示す斜視図
【発明を実施するための形態】
【００２０】
図１に、この発明の実施形態に係る段ボール箱のブランクを示す。この段ボール箱は、いわゆるＡ式（JIS Z 1507の02形式）と呼ばれる溝切形である。ブランクの材料である段ボールは、表ライナＡと裏ライナＢの間に波状の中芯Ｃが挟まれた構造であり、中芯Ｃの段頂が延びる方向である段目は、縦方向へ向けられている。
【００２１】
このブランクでは、周壁１を形成する各一対の端面板１１及び側面板１２が横方向に交互に連設され、一方の側面板１２の外側端には継代片１３が連設されている。各一対の端面板１１及び側面板１２の上端には、天壁２を形成する内フラップ１４及び外フラップ１５がそれぞれ連設され、各一対の端面板１１及び側面板１２の下端には、底壁３を形成する内フラップ１６及び外フラップ１７がそれぞれ連設されている。
【００２２】
一対の端面板１１には、その上方の内フラップ１４との境界の中間部に臨んで、切目線により区画された手掛部１８が設けられ、手掛部１８の下端中間部に臨む部分には、下部の折目線をヒンジとする舌片状の押込部１９が切目線を入れて設けられている。
【００２３】
一対の内フラップ１４には、包装状態で外フラップ１５の先端の突合部に対応する位置に、帯状の弱め部２０が設けられている。弱め部２０は、段ボールを裏面側から押圧して中芯Ｃの段を押し潰す段潰加工を施すことにより、段ボールの山折り方向への折曲強度を低下させたものとされている。
【００２４】
一対の端面板１１とその上方の内フラップ１４の境界には、手掛部１８から両側端へかけて破断線２１が入れられている。また、一対の側面板１２とその上方の外フラップ１５の境界には、全長に亘って破断線２２が入れられている。破断線２１，２２は、段ボールが押圧された押罫線ではなく、段ボールの裏面と表面とに貫通する切目が多数断続したミシン目から成るものとされている。
【００２５】
各一対の上方の内フラップ１４及び外フラップ１５には、それぞれ端面板１１及び側面板１２との境界をなす稜線に沿った破断線２１，２２に近接して並行するように、段ボールの表面側を凹ませた逆罫線２３が入れられている。
【００２６】
ここで、端面板１１と内フラップ１４の境界部分及び側面板１２と外フラップ１５の境界部分では、後者について図２に示すように、逆罫線２３を挟んで平行に延びるように、裏面側が凹んで段ボールの厚さが減少した溝状凹部Ｄが形成され、破断線２２は、この溝状凹部Ｄの範囲内に位置している。破断線２１も溝状凹部Ｄの範囲内に位置している。
【００２７】
このような境界部分の加工は、コルゲートマシンのスリッタスコアラと、これに付加したミシン目形成装置により行われる。
【００２８】
スリッタスコアラでは、一対の逆罫線リングの溝部と突条部の間に段ボールを挟み込んで、表面側から押圧することにより逆罫線２３が入れられ、この際、逆罫線リングの溝部と突条部の両側方の肩部に挟まれて、裏面側に溝状凹部Ｄが形成される。
【００２９】
そして、溝状凹部Ｄの形成後、ミシン目形成装置により、溝状凹部Ｄの範囲内で段ボールが裏面側から円盤状のナイフにより切り込まれて、破断線２１，２２が入れられる。
【００３０】
このように、逆罫線２３の加工に伴い溝状凹部Ｄが形成された後、溝状凹部Ｄの範囲内にミシン目の破断線２１，２２を入れると、破断線２１，２２の繋ぎ部分に段ボールの押圧に伴う加工負荷が作用することがない。
【００３１】
上記のようなブランクは、製造に際し、端面板１１と側面板１２の境界の罫線に沿って折り重ね、継代片１３を反対側の端面板１１の側端部に貼り付けることにより、偏平な折畳状態としておく。
【００３２】
そして、商品の包装に際しては、図３に示すように、各一対の端面板１１及び側面板１２から四角筒状の周壁１を形成し、下方の内フラップ１６及び外フラップ１７を順次内側へ折り曲げて重ね合わせ、外フラップ１７の先端同士を突き合わせて、テープＴ等で固定することにより底壁３を形成する。
【００３３】
次に、挿入しようとする商品と、直立した内フラップ１６及び外フラップ１７の先端との干渉を避けるため、図４に示すように、内フラップ１６及び外フラップ１７を外側へ折り曲げた状態で、箱内に商品を挿入する。
【００３４】
この外側への折り曲げに際し、図５に示すように、段ボールは、中芯Ｃが押し潰された側へ折れ曲がりやすいという特性に従い、表面側が押し潰された逆罫線２３に沿って折れ曲がるので、破断線２２（破断線２１も同様）の繋ぎ部が破断してしまうことがない。
【００３５】
その後、図６に示すように、上方の内フラップ１４及び外フラップ１５を順次内側へ折り曲げて重ね合わせ、外フラップ１５の先端同士を突き合わせて、テープＴ等で固定することにより天壁２を形成すると、封緘された包装状態となり、商品を発送元から小売店へ送ることができる。
【００３６】
この内側への折り曲げに際し、図７に示すように、段ボールは、切目が裏ライナＢから表ライナＡへ貫通し、溝状凹部Ｄにより内側への折曲抵抗が弱められた破断線２２（破断線２１も同様）に沿って容易に折れ曲がる。
【００３７】
また、上述のように、破断線２１，２２の繋ぎ部分には、逆罫線２３を入れる際における押圧加工の負荷が作用していないので、内フラップ１４及び外フラップ１５を破断線２１，２２に沿って内側へ折り曲げる際、段ボールの表ライナ側の繋ぎ部分が引張力に耐えられずに割れてしまうミシン割れ現象が生じにくい。
【００３８】
このように封緘した段ボール箱を商品の陳列等のため開封する際には、まず、図８に示すように、一方の端面板１１の押込部１９を押し込み、手掛部１８に手を掛けて、天壁２の一方の内フラップ１４と外フラップ１５の重なり合った部分を引き上げつつ、反対側の端面板１１の方向へ引っ張る。
【００３９】
このとき、上記段ボール箱では、内フラップ１４が弱め部２０に沿って外フラップ１５に阻害されることなく山折りとなるように撓み、引張力が作用する方向とは交差する方向の破断線２１に効率的に引きちぎる力が作用して、破断線２１が破断し、これに続いて破断線２２が一端から破断し始める。
【００４０】
次に、図９に示すように、上記と同様に、天壁２の他方の内フラップ１４と外フラップ１５の重なり合った部分を引き上げつつ、反対側の端面板１１の方向へ引っ張ると、内フラップ１４が弱め部２０に沿って外フラップ１５に阻害されることなく山折りとなるように撓み、破断線２１が破断し、これに続いて破断線２２が他端から破断し始める。
【００４１】
このように、内フラップ１４の弱め部２０が、包装状態で外フラップ１５の先端の突合部に対応する位置に設けられていると、材料の段ボールが厚くても、容易に開封することができ、側面板１２が形成する長側面が長い形状であっても、天壁２が途中で捲れるように折れ曲がることがなく、確実に開封することができる。
【００４２】
また、弱め部２０にある程度の幅を設けておけば、ブランクの加工時や組立時に若干の位置ずれが生じても、外フラップ１５の先端の突合部に弱め部２０が対応するので、加工や組み立てに高い精度を要することもない。
【００４３】
そして、破断線２２が全長にわたって破断した後、天壁２を手掛部１８と共に除去すると、図１０に示すように、天面が全面的に開口するので、商品を箱内に収納したままの状態で陳列することができ、小売店での開梱や陳列作業の省力化を図りつつ、優れた販売促進効果を得ることができる。
【００４４】
なお、上記実施形態では、弱め部２０として段潰加工によるものを例示したが、弱め部２０は、細かに切刃を入れた切目の集合体や裏面側からの押圧による押罫線と段潰加工の組み合わせ等、段ボールの折曲強度が低下して山折りしやすくなる加工であれば、種々の加工によるものとすることができる。
【００４５】
また、手掛部１８が一対の端面板１１にそれぞれ設けられたものを例示したが、手掛部１８は、一方の端面板１１だけに設けるようにしてもよく、開封時に天壁２を除去して天面全体を開口させるものを例示したが、開封時に天壁２を一部だけ切り取り、又は手掛部１８の反対側で繋がった状態で開くようにしてもよい。
【符号の説明】
【００４６】
Ａ  表ライナ
Ｂ  裏ライナ
Ｃ  中芯
Ｄ  溝状凹部
Ｔ  テープ
１  周壁
２  天壁
３  底壁
１１  端面板
１２  側面板
１３  継代片
１４  内フラップ
１５  外フラップ
１６  内フラップ
１７  外フラップ
１８  手掛部
１９  押込部
２０  弱め部
２１，２２  破断線
２３  逆罫線
【図１】
0006581534.tif 000002
【図２】
0006581534.tif 000003
【図３】
0006581534.tif 000004
【図４】
0006581534.tif 000005
【図５】
0006581534.tif 000006
【図６】
0006581534.tif 000007
【図７】
0006581534.tif 000008
【図８】
0006581534.tif 000009
【図９】
0006581534.tif 000010
【図１０】
0006581534.tif 000011
【図１１】
0006581534.tif 000012